(57)【要約】【課題】複数のスクリーン軸が軸方向に沿って連ねて配置され各々のスクリーン軸の付勢力を調整可能なスクリーンユニット等を提供する。【解決手段】スクリーンが付勢部材の付勢力により巻き上げられ繰り出し可能に巻き付けられた複数のスクリーン軸が、軸方向に沿って連ねて配置されており、前記複数のスクリーン軸は、軸方向における一方の端部をなす第一端部側から操作して前記付勢力を調整可能な前記付勢部材を各々備え、前記第一端部側が各々の前記スクリーン軸における同一側に配置されており、前記複数のスクリーン軸のうちの互いに隣り合う２つの前記スクリーン軸の間には、当該２つのスクリーン軸の間側に前記第一端部が配置されている前記スクリーン軸が有する前記付勢部材の前記付勢力を、当該スクリーン軸の軸方向と交差する方向から操作して調整可能な調整操作部が設けられている。【選択図】図８
2019137973.tif 000002
【特許請求の範囲】
【請求項１】
スクリーンが付勢部材の付勢力により巻き上げられ繰り出し可能に巻き付けられた複数のスクリーン軸が、軸方向に沿って連ねて配置されており、
前記複数のスクリーン軸は、軸方向における一方の端部をなす第一端部側から操作して前記付勢力を調整可能な前記付勢部材を各々備え、前記第一端部側が各々の前記スクリーン軸における同一側に配置されており、
前記複数のスクリーン軸のうちの互いに隣り合う２つの前記スクリーン軸の間には、当該２つのスクリーン軸の間側に前記第一端部が配置されている前記スクリーン軸が有する前記付勢部材の前記付勢力を、当該スクリーン軸の軸方向と交差する方向から操作して調整可能な調整操作部が設けられていることを特徴とするスクリーンユニット。
【請求項２】
請求項１に記載のスクリーンユニットであって、
前記調整操作部は、軸方向に沿う方向からも操作可能であることを特徴とするスクリーンユニット。
【請求項３】
請求項１または請求項２に記載のスクリーンユニットであって、
前記複数のスクリーン軸を収容するスクリーンボックスと、
前記スクリーンボックス内において互いに隣り合う２つの前記スクリーン軸間に配置されて各々の前記スクリーン軸の片方の端部を支持し、前記スクリーンボックスとともに前記スクリーンを引き出し可能な開口を形成する中間部材と、
前記スクリーンの端に設けられ前記スクリーンが巻き上げられた状態で軸方向において前記開口の縁部に前記スクリーンボックスの外側から当接されるボトムバーと、
を有し、
前記中間部材は、前記２つのスクリーン軸のうちの一方の前記スクリーン軸の端部を支持する金属製の中間金属部材と、前記２つのスクリーン軸のうちの他方の前記スクリーン軸の端部を支持し前記ボトムバーが当接される前記開口の前記縁部を備えた合成樹脂製の中間樹脂部材と、
を有し、
前記中間金属部材は、前記中間樹脂部材の前記開口の前記縁部に前記スクリーンボックスの内側から当接される当接部を有していることを特徴とするスクリーンユニット。
【請求項４】
第一スクリーンが第一付勢部材の付勢力により巻き上げられ繰り出し可能に巻き付けられ、軸方向における一方の端部をなす第一端部側から前記第一付勢部材の付勢力を調整可能な第一スクリーン軸を、当該第一スクリーン軸の軸方向に沿って下方が開放されて一方の端に第一支持部が設けられたカバー材内に収容するとともに、前記第一支持部に、軸方向における他方の端部をなす第二端部を支持させる第一ステップと、
前記第一スクリーン軸の前記第一端部を支持する中間部材を前記カバー材内に取り付ける第二ステップと、
第二スクリーンが第二付勢部材の付勢力により巻き上げられ繰り出し可能に巻き付けられ、軸方向における一方の端部をなす第一端部側から前記第二付勢部材の付勢力を調整可能な第二スクリーン軸の、軸方向における他方の端部をなす第二端部を前記中間部材に支持させる第三ステップと、
前記第二スクリーン軸の前記第一端部を、第二支持部を介して前記カバー材に支持させる第四ステップと、
を有することを特徴とするスクリーンユニットの組立方法。
【発明の詳細な説明】
【技術分野】
【０００１】
本発明は、スクリーンが巻き付けられた複数のスクリーン軸が軸方向に沿って連ねて配置されているスクリーンユニット及びスクリーンユニットの組立方法に関する。
【背景技術】
【０００２】
スクリーンが巻き付けられた複数のスクリーン軸が軸方向に沿って連ねて配置されているスクリーンユニットとしては、例えば、スクリーンを巻き取り可能に収納するとともに下方に開口したケース体と、ケース体の中央に設けられスクリーンの軸方向における両側に突出して各スクリーンの軸方向の一端を支持可能な一対の支持突起部を備えた中間ブラケットと、を有し、中間ブラケットの両側にそれぞれ芯材に巻き付けられたスクリーンが軸方向に並設されているスクリーン装置が知られている（例えば、特許文献１参照）。このようなスクリーン装置は、芯材がバネ部材によりスクリーンを巻き取る方向に付勢されており、軸回りに回動させる操作により付勢力が調整可能に構成されている。
【先行技術文献】
【特許文献】
【０００３】
【特許文献１】特開２０１５−１６３７５２号公報
【発明の概要】
【発明が解決しようとする課題】
【０００４】
上述したスクリーン装置において芯材に対する付勢力を調整する場合には、芯材に軸方向に沿って操作し、例えばドライバーなどを用いて軸回りに回動させると容易に調整可能である。しかしながら、スクリーンが巻き付けられた芯材が軸方向に沿って連ねられている場合、例えば、２つの芯材が連ねられている場合には、芯材においてドライバーなどにより操作する調整部を、連ねた芯材の両端部に配置しなければならない。この場合には、２つの芯材が線対象に配置されるため、芯材及び芯材に付勢するために設けられている部材が全て対象形状となり、部材点数が増え、部材管理及び組み立てが煩雑になるとともにコストが高騰する。また、３つ以上の芯材を連ねて配置すると、２つの芯材の間に配置された芯材は付勢力を調整することができないため、３つ以上の芯材を連ねることができないという課題がある。
【０００５】
本発明は、かかる課題に鑑みてなされたものであり、その目的とするところは、複数のスクリーン軸が軸方向に沿って連ねて配置され各々のスクリーン軸の付勢力を調整可能なスクリーンユニット及びスクリーンユニットの組立方法を提供することにある。
【課題を解決するための手段】
【０００６】
かかる目的を達成するために本発明のスクリーンユニットは、スクリーンが付勢部材の付勢力により巻き上げられ繰り出し可能に巻き付けられた複数のスクリーン軸が、軸方向に沿って連ねて配置されており、前記複数のスクリーン軸は、軸方向における一方の端部をなす第一端部側から操作して前記付勢力を調整可能な前記付勢部材を各々備え、前記第一端部側が各々の前記スクリーン軸における同一側に配置されており、前記複数のスクリーン軸のうちの互いに隣り合う２つの前記スクリーン軸の間には、当該２つのスクリーン軸の間側に前記第一端部が配置されている前記スクリーン軸が有する前記付勢部材の前記付勢力を、当該スクリーン軸の軸方向と交差する方向から操作して調整可能な調整操作部が設けられていることを特徴とするスクリーンユニットである。
【０００７】
このようなスクリーンユニットによれば、互いに隣り合う２つのスクリーン軸の間側に、付勢部材の付勢力を調整可能な第一端部が配置されているスクリーン軸の調整操作部は、スクリーン軸の軸方向と交差する方向から操作可能なので、複数のスクリーン軸が軸方向に連ねられていたとしても、軸方向と交差する方向から調整操作部を操作して、各スクリーン軸の付勢力を調整することが可能である。また、各々のスクリーン軸の第一端部側を軸方向における同一側に配置することが可能なので、各スクリーン軸を構成する部材を統一することが可能である。このため、部材点数を少なく抑えることにより、部材の管理及び組立が容易になるとともにコストを低く抑えることが可能である。
【０００８】
かかるスクリーンユニットであって、前記調整操作部は、軸方向に沿う方向からも操作可能であることを特徴とする。
このようなスクリーンユニットによれば、調整操作部は、軸方向に沿う方向からも操作可能なので、スクリーン軸が単体で取り付けられている場合、或いは、取り付けられる前の状態では、軸方向に沿う方向から調整操作部を操作して容易に調整することが可能である。
【０００９】
かかるスクリーンユニットであって、前記複数のスクリーン軸を収容するスクリーンボックスと、前記スクリーンボックス内において互いに隣り合う２つの前記スクリーン軸間に配置されて各々の前記スクリーン軸の片方の端部を支持し、前記スクリーンボックスとともに前記スクリーンを引き出し可能な開口を形成する中間部材と、前記スクリーンの端に設けられ前記スクリーンが巻き上げられた状態で軸方向において前記開口の縁部に前記スクリーンボックスの外側から当接されるボトムバーと、を有し、前記中間部材は、前記２つのスクリーン軸のうちの一方の前記スクリーン軸の端部を支持する金属製の中間金属部材と、前記２つのスクリーン軸のうちの他方の前記スクリーン軸の端部を支持し前記ボトムバーが当接される前記開口の前記縁部を備えた合成樹脂製の中間樹脂部材と、を有し、前記中間金属部材は、前記中間樹脂部材の前記開口の前記縁部に前記スクリーンボックスの内側から当接される当接部を有していることを特徴とする。
【００１０】
このようなスクリーンユニットによれば、スクリーンボックスの外側からボトムバーが当接される中間樹脂部材の開口の縁部には、スクリーンボックスの内側から中間金属部材の当接部が当接されるので、ボトムバーが当接されて付勢部材の付勢力が作用する開口の縁部を当接部により補強することが可能である。
【００１１】
また、第一スクリーンが第一付勢部材の付勢力により巻き上げられ繰り出し可能に巻き付けられ、軸方向における一方の端部をなす第一端部側から操作して前記第一付勢部材の付勢力を調整可能な第一スクリーン軸を、当該第一スクリーン軸の軸方向に沿って下方が開放されて一方の端に第一支持部が設けられたカバー材内に収容するとともに、前記第一支持部に、軸方向における他方の端部をなす第二端部を支持させる第一ステップと、前記第一スクリーン軸の前記第一端部を支持する中間部材を前記カバー材内に取り付ける第二ステップと、第二スクリーンが第二付勢部材の付勢力により巻き上げられ繰り出し可能に巻き付けられ、軸方向における一方の端部をなす第一端部側から操作して前記第二付勢部材の付勢力を調整可能な第二スクリーン軸の、軸方向における他方の端部をなす第二端部を前記中間部材に支持させる第三ステップと、前記第二スクリーン軸の前記第一端部を、第二支持部を介して前記カバー材に支持させる第四ステップと、を有することを特徴とするスクリーンユニットの組立方法である。
【００１２】
このようなスクリーンユニットの組立方法によれば、第一スクリーン軸を第一支持部と中間部材とにより支持した後に、第二スクリーン軸を取り付けるので、第二スクリーン軸を取り付ける前には、第一スクリーン軸の付勢力を軸方向から操作して調整することが可能である。このため、第二スクリーン軸を取り付ける前に、軸方向から操作して第一スクリーン軸の付勢力を粗方設定して仮付与することが可能である。このため、軸方向から操作する場合より操作し難い、軸方向と交差する方向から操作を少なくして、付勢力をより適切に調整した状態に、スクリーンユニットを容易に組み立てることが可能である。
【発明の効果】
【００１３】
本発明によれば、複数のスクリーン軸が軸方向に沿って連ねて配置され各々のスクリーン軸の付勢力を調整可能なスクリーンユニット及びスクリーンユニットの組立方法を提供することが可能である。
【図面の簡単な説明】
【００１４】
【図１】本実施形態に係るスクリーンユニットが取り付けられた状態を屋外側から見た外観図である。
【図２】スクリーンユニットの縦断面図である。
【図３】スクリーンユニットの構成を示す斜視図である。
【図４】スクリーンユニットを下方側から見た斜視図である。
【図５】スクリーンユニットが備える２つのスクリーン軸と中間部材とを示し上方側から見た斜視図である。
【図６】スクリーンユニットが備える２つのスクリーン軸と中間部材とを示し下方側から見た斜視図である。
【図７】図７（ａ）は、中間部材の構成を示す上方側から見た斜視図であり、図７（ｂ）は、中間部材の構成を示す下方側から見た斜視図である。
【図８】右側のスクリーン軸に対する調整操作部を操作する状態を示す図である。
【図９】スクリーンユニットを下から見た図である。
【図１０】スクリーンユニットの組立方法を示す図である。
【発明を実施するための形態】
【００１５】
以下、本発明の一実施形態に係るスクリーンユニットについて図面を参照して説明する。
本実施形態のスクリーンユニット１は、図１、図２に示すように、例えば、シェードなどのスクリーン２ａ、３ａが引き出し可能にスクリーンボックス４に収容され、建物５の開口５ａに設けられる建具６より上方に保持部材７を介して建物５に取り付けられている。本実施形態のスクリーンユニット１は、引き出し可能に収容された２枚のスクリーン２ａ、３ａを有している。
【００１６】
以下の説明では、スクリーンユニット１を屋外側から見たときに上下となる方向を上下方向、左右となる方向を左右方向、屋内外方向である奥行き方向を見込み方向として示す。スクリーンユニット１の各部位であっても、また、スクリーンユニット１を構成する各部材については単体の状態であっても、建物５等に取り付けられた状態にて上下方向、左右方向、見込み方向となる方向にて方向を特定して説明する。
【００１７】
本実施形態のスクリーンユニット１は、図３、図４に示すように、２枚のスクリーン２ａ、３ａが軸パイプ２ｂ、３ｂに巻き付けられ左右に方向に連ねて配置される２つのスクリーン軸２、３と、建物５に保持部材７により保持され２つのスクリーン軸２、３を収容するスクリーンボックス４と、を有している。尚、図３においてはスクリーンボックス４を透かした状態で示している。
【００１８】
スクリーン軸２、３は、スクリーン２ａ、３ａと、スクリーン２ａ、３ａの一方の端が固定されて巻き付けられる軸パイプ２ｂ、３ｂと、スクリーン２ａ、３ａの他方の端が固定されるボトムバー２ｃ、３ｃと、軸パイプ２ｂ、３ｂの両端部に設けられスクリーンボックスに支持される軸受けキャップ２ｄ、３ｄと、を有している。ボトムバー２ｃ、３ｃは、スクリーン２ａ、３ａの幅より長く、スクリーン２ａ、３ａの左右方向における両側に突出している。
【００１９】
ボトムバー２ｃ、３ｃのスクリーン２ａ、３ａより突出している部位は、スクリーンボックス４に収容されたスクリーン軸２、３の、スクリーンボックス４の開口４ａから引き出されたスクリーン２ａ、３ａが巻き上げられた際に、スクリーン２ａ、３ａの引き出されている端がスクリーンボックス４内に巻き込まれることなくスクリーンボックス４外に位置するように設けられている。左右に連ねて配置される２つのスクリーン軸２、３は同一の部材である。
【００２０】
図５、図６に示すように、軸パイプ２ｂ、３ｂには、スクリーン２ａ、３ａを巻き上げ方向に付勢する付勢部材としてのコイルスプリング２ｅ、３ｅが内蔵されている。コイルスプリング２ｅ、３ｅの一方の端は、軸パイプ２ｂ、３ｂ内において回動不能に設けられ、他方の端は、軸パイプ２ｂ、３ｂ固定された一方の軸受けキャップ２ｄ、３ｄに固定されて、軸パイプ２ｂ、３ｂとともに回動可能に設けられている。そして、各スクリーン軸２、３は、軸パイプ２ｂ、３ｂとともに回動可能な軸受けキャップ２ｄ、３ｄを、スクリーン軸２、３の軸回りに回動させることにより、コイルスプリング２ｅ、３ｅによる付勢力を調整可能に構成されている。
【００２１】
軸受けキャップ２ｄ、３ｄには、軸パイプ２ｂ、３ｂの左右の端側から中央側に窪み、スクリーンボックス４に設けられている、後述する軸支持部８が嵌合される軸受け凹部２ｆ、３ｆが設けられている。
【００２２】
スクリーンボックス４は、建物５の外壁５ｂに沿い、下方が開放されて上方に窪む溝状をなすカバー材としてのボックス本体４０と、ボックス本体４０の左右の端部に設けられスクリーン軸２、３の他方の端部を支持する合成樹脂製の端部キャップ４１と、スクリーンボックス４内を長手方向に並ぶ２つの空間に仕切る中間部材４２と、を有している。
【００２３】
ボックス本体４０は、建物５の外壁５ｂと対面する屋内壁部４０ａと、屋内壁部４０ａの上端から屋内側に向かって下がるように湾曲した上面部４０ｂと、上面部４０ｂの屋外側の縁から垂設されて屋内壁部４０ａと見込み方向に間隔を空けて対面する屋外壁部４０ｃと、を有している。屋内壁部４０ａの下端と屋外壁部４０ｃの下端との間が下方に開放されている。
【００２４】
ボックス本体４０の両端に端部キャップ４１が設けられ、ボックス本体４０の左右方向におけるほぼ中央に中間部材４２が設けられて、２本のスクリーン軸２、３が収容される２つの空間が形成されている。スクリーンボックス４においてスクリーン２ａ、３ａが挿通される開口４ａは、ボックス本体４０の屋内壁部４０ａ及び屋外壁部４０ｃの下端と、両端の端部キャップ４１のいずれか一方と、中間部材４２とにより形成されている。このため、スクリーン２ａ、３ａが巻き取られた際には、ボトムバー２ｃ、３ｃのスクリーン２ａ、３ａより突出している部位は、コイルスプリング２ｅ、３ｅの付勢力により端部キャップ４１及び中間部材４２に当接されている。
【００２５】
図７、図８に示すように、中間部材４２は、右側に位置するスクリーン軸３の左側の端部を支持する軸支持部８が設けられた金属製の中間金属部材４３と、ボックス本体４０と中間金属部材４３とに固定され、左側に位置するスクリーン軸２の右側の端部を支持する軸支持部８が設けられた合成樹脂製の中間樹脂部材４４と、を有している。ここで、スクリーン軸２の右側の端部、及び、スクリーン軸３の左側の端部が、中間部材４２に支持される片方の端部に相当する。
【００２６】
中間金属部材４３は、ボックス本体４０内にて見込み方向に沿って配置される中間金属壁部４３ａと、ボックス本体４０の屋内壁部４０ａに屋外側から当接されて固定されるボックス固定部４３ｂと、ボックス本体４０の上面部４０ｂに下方から当接される上面当接部４３ｃと、ボックス本体４０の屋外壁部４０ｃに屋内側から当接される屋外当接部４３ｄと、中間樹脂部材４４において右側のスクリーン軸３が有するスクリーン３ａが収容された際にボトムバー３ｃが当接される部位に上方から当接される下面当接部４３ｅと、を有している。ボックス固定部４３ｂ、上面当接部４３ｃ、屋外当接部４３ｄ、及び、下面当接部４３ｅは、いずれも中間金属壁部４３ａから右方向に延出させて設けられている。
【００２７】
中間金属壁部４３ａのほぼ中央には、左右方向に貫通する貫通孔４３ｆが設けられており、右側の面には、右側のスクリーン軸３を支持する軸支持部８をなす支持部材９が固定されている。両端の端部キャップ４１、及び、中間部材４２の両側に設けられている軸支持部８は、ほぼ同形状である。
【００２８】
軸支持部８は、スクリーン軸２、３の両端部に挿入される円筒状の軸部８ａを有し、その先端から突出させて断面が矩形状をなす角筒状のジョイント突部８ｂが設けられている。右側の端部キャップ４１及び中間樹脂部材４４に設けられている軸支持部８は、端部キャップ４１及び中間樹脂部材４４と一体に形成されている。尚、軸支持部８は、端部キャップ４１及び中間樹脂部材４４とは別体に形成されて、取り付けられていても構わない。
【００２９】
左の端部キャップ４１及び中間金属部材４３に設けられている軸支持部８は、端部キャップ４１及び中間金属部材４３とは別に、軸支持部８を有する支持部材９が取り付けられている。より具体的には、支持部材９は、円筒状の軸部８ａとジョイント突部８ｂとが分割されており、ジョイント突部８ｂは円筒状の軸部８ａに対して回動自在に設けられている。左の端部キャップ４１と中間金属部材４３とに設けられている支持部材９は同一なので、ここでは、中間金属部材４３とに設けられている支持部材９を例に挙げて説明する。
【００３０】
支持部材９は、軸部８ａの基端側に設けられているフランジ９ａが中間金属壁部４３ａの右側面に当接されてビス止めされている。中間金属壁部４３ａと軸部８ａとの間の円筒部分内には、中間金属壁部４３ａに設けられた貫通孔４３ｆから突出する調整操作部４５ａと、調整操作部４５ａと繋がってジョイント突部８ｂと係合する係合端部４５ｂを有する係合操作部材４５が設けられている。
【００３１】
係合操作部材４５は、調整操作部４５ａを、スクリーン軸３の軸回りに回動操作することによりジョイント突部８ｂを回動させることが可能である。このため、調整操作部４５ａを回動操作することにより、ジョイント突部８ｂを介して軸受けキャップ３ｄを回動させ、軸受けキャップ３ｄと繋がったコイルスプリング３ｅの付勢力を調整することが可能である。ここで、スクリーン軸２において、左の端部キャップ４１に設けられている軸支持部８に支持される側の端部、及び、中間金属部材４３に設けられている軸支持部８に支持される側の端部がそれぞれ第一端部に相当し、反対側の端部が第二端部に相当する。
【００３２】
貫通孔４３ｆから突出している調整操作部４５ａは、左側から見たときの外形形状が六角形状をなしており、また、突出している先端をなす左側の面には、十字状の溝４５ｃが設けられている。このため、調整操作部４５ａは、スクリーン軸３に沿う方向の左側からドライバー等を十字状の溝４５ｃに差し込んで回動操作すること、また、スクリーン軸３と交差する方向からレンチ１０などにより回動操作することが可能である。
【００３３】
左の端部キャップ４１には、ほぼ中央に左右方向に貫通する貫通孔４１ａが設けられており、ドライバー等により貫通孔４１ａを通して左側のスクリーン軸２に設けられたコイルスプリング２ｅ、３ｅの付勢力を調整可能に構成されている。
【００３４】
中間樹脂部材４４は、中間金属壁部４３ａに左側から当接される中間樹脂壁部４４ａと、中間樹脂壁部４４ａの外周縁部から、軸方向における両側に各々延出され、屋内壁部４０ａ、上面部４０ｂ、及び、屋外壁部４０ｃの内面に沿って設けられる、左右の中間延出部４４ｂと、中間延出部４４ｂの屋内側の下縁と屋外側の下縁との間を覆う下カバー部４４ｃとを有している。
【００３５】
中間樹脂壁部４４ａの中間金属壁部４３ａに当接される面側には、中間金属壁部４３ａから突出する調整操作部４５ａを軸方向と交差する方向から操作するための例えばレンチ１０の回動操作を可能にする操作空間４４ｄが設けられている。また、下カバー部４４ｃには、図９に示すように、スクリーンボックス４外と操作空間４４ｄとを連通するスリット４４ｅが設けられている。スリット４４ｅは、下カバー部４４ｃの下方から操作空間４４ｄ内にレンチ１０を挿入可能、かつ、レンチ１０をスクリーン軸３の軸回りに、例えば４５度回動可能に見込み方向に沿って設けられている。
【００３６】
中間樹脂壁部４４ａの中間金属壁部４３ａと反対側の面には、軸支持部８が設けられており、中間樹脂壁部４４ａより右側に延出されている中間延出部４４ｂは、中間金属部材４３のボックス固定部４３ｂ、上面当接部４３ｃ、及び、屋外当接部４３ｄが配置される部位には設けられていない。また、下カバー部４４ｃにおける屋外側の部位が、コイルスプリング２ｅ、３ｅの付勢力によりボトムバー２ｃ、３ｃが当接される部位に相当し、下カバー部４４ｃにおける屋外側の部位の上に中間金属部材４３の下面当接部４３ｅが当接されている。
【００３７】
本実施形態に係るスクリーンユニット１の組立方法は、図１０に示すように、右側の端部キャップ４１をボックス本体４０に取り付ける。尚、図１０においてはスクリーンボックス４を透かした状態で示している。
【００３８】
次に、第一スクリーン軸としての１本目のスクリーン軸３の一方の端部の軸受け凹部３ｆに右側の端部キャップ４１に設けられた軸支持部８を嵌合させてボックス本体４０内に１本目のスクリーン軸３を配置する（第一ステップ）。このとき、スクリーン軸３においてコイルスプリング３ｅ側の端を中央側に配置しておく。ここで、右側の端部キャップ４１に設けられた軸支持部８が第一支持部に相当し、１本目のスクリーン軸３が有するスクリーン３ａ、コイルスプリング３ｅが、それぞれ第一スクリーン、第一付勢部材に相当する。
【００３９】
次に、支持部材９及び係合操作部材４５が取り付けられた中間金属部材４３をボックス本体４０の長手方向に沿って挿入し屋内側からビス止めする。このとき、中間金属部材４３に設けられた支持部材９が有する軸支持部８をボックス本体４０内のスクリーン軸３における左側の軸受け凹部３ｆに嵌合する。中間金属部材４３を取り付けた状態で、中間金属部材４３から突出している調整操作部４５ａを例えばドライバーなどにより操作して、初期付勢力を仮付与しておく。
【００４０】
次に、中間樹脂部材４４をボックス本体４０の長手方向に沿って挿入し屋内側からビス止めする。このとき、中間樹脂部材４４の左側の中間延出部４４ｂにおいてボックス本体４０の屋内壁部４０ａと対向する部位の屋外側に金属製の裏板４６を設け屋内側から進入するビスを裏板４６に螺合させて固定する。中間金属部材４３及び中間樹脂部材４４をボックス本体４０に固定するステップが第二ステップに相当する。
【００４１】
次に、第二スクリーン軸としての２本目のスクリーン軸２の一方の端部の軸受け凹部２ｆに中間樹脂部材４４に設けられた軸支持部８を嵌合させてボックス本体４０内に２本目のスクリーン軸２を配置する(第三ステップ)。このとき、スクリーン軸２においてコイルスプリング２ｅ側の端をボックス本体４０の左端側に配置しておく。ここで、２本目のスクリーン軸２が有するスクリーン２ａ、コイルスプリング２ｅが、それぞれ第二スクリーン、第二付勢部材に相当する。
【００４２】
次に、支持部材９及び係合操作部材４５が取り付けられた左側の端部キャップ４１をボックス本体４０にビス止めする（第四ステップ）。このとき、端部キャップ４１に設けられた軸支持部８をボックス本体４０内のスクリーン軸２における左側の軸受け凹部２ｆに嵌合する。ここで、左側の端部キャップ４１に設けられた軸支持部８が第二支持部に相当する。
【００４３】
次に、左側のスクリーン軸２は、左側の端部キャップ４１側から調整操作部４５ａを操作してコイルスプリング２ｅによる付勢力を調整し、右側のスクリーン軸３は、中間部材４２のスリット４４ｅからレンチ１０を挿入して調整操作部４５ａを操作してコイルスプリング３ｅによる付勢力を調整し、スクリーンユニット１の組み立てが完了する。
２本のスクリーン軸２、３がスクリーンボックス４内に収容されたスクリーンユニット１は、保持部材７を介して建物５に固定される。
【００４４】
本実施形態のスクリーンユニット１によれば、左右方向に連ねて配置された２本のスクリーン軸２、３において左側のスクリーン軸２と隣り合う側に調整操作部４５ａが配置されている右側のスクリーン軸３の調整操作部４５ａは軸方向と交差する下方から操作可能なので、２本のスクリーン軸２、３が軸方向に連ねられていたとしても、軸方向と交差する方向から調整操作部４５ａを操作して、付勢力を調整することが可能である。
【００４５】
また、各々のスクリーン軸２、３において、調整操作部４５ａが軸方向における同一側に位置するように各スクリーン軸２、３を配置することが可能なので、各スクリーン軸２、３を構成する部材を統一することが可能である。このため、部材点数を少なく抑えることにより、部材の管理及び組み立てが容易になるとともにコストを低く抑えることが可能である。
【００４６】
また、調整操作部４５ａは、軸方向に沿う方向からも操作可能なので、１本目のスクリーン軸３を取り付けた状態で、例えばドライバー等により調整操作部４５ａを操作して、初期付勢力を仮付与しておくことが可能である。また、スクリーン軸３が単体で取り付けられている場合、或いは、取り付けられる前の状態では、軸方向に沿う方向から例えばドライバー等により調整操作部４５ａを操作して容易に調整することが可能である。
【００４７】
また、スクリーン２ａ、３ａが巻き上げられた状態で軸方向において開口４ａの縁部をなす中間樹脂部材４４の下カバー部４４ｃは、スリット４４ｅが設けられて強度が低い部位を有する一方で、スクリーンボックス４の外側からボトムバー３ｃが当接されているのでスクリーン３ａを巻き上げているコイルスプリング３ｅの付勢力が作用する。このため、中間金属部材４３の下面当接部４３ｅが下カバー部４４ｃにおいて開口４ａの縁部に、スクリーンボックス４の内側から当接されることにより、ボトムバー３ｃが当接される下カバー部４４ｃにおける開口４ａの縁部を補強することが可能である。
【００４８】
また、本実施形態のスクリーンユニット１の組立方法によれば、軸方向に連ねられた２本のスクリーン軸２、３の右側のスクリーン軸３を右の端部キャップ４１が有する軸支持部８と中間部材４２の中間金属部材４３に設けられた軸支持部８とにより支持した後に、左側のスクリーン軸２を取り付けるので、左側のスクリーン軸２を取り付ける前には、右側のスクリーン軸３の調整操作部４５ａを軸方向から操作することが可能である。このため、左のスクリーン軸２を取り付ける前に、右のスクリーン軸３の調整操作部４５ａを軸方向から操作して付勢力を粗方設定して仮付与することが可能である。このため、調整操作部４５ａを、軸方向から操作する場合より操作し難い、軸方向と交差する方向から操作を少なくして、スクリーンユニット１をより容易に調整した状態で取り付けることが可能である。
【００４９】
上記実施形態においては、２本のスクリーン軸２、３を軸方向に連ねて配置した例を挙げて説明したが、連ねられるスクリーン軸は３本以上であっても構わない。
【００５０】
上記実施形態においては、調整操作部４５ａの突出している先端をなす左側の面に、十字状の溝４５ｃが設けられている例について説明したが、例えば六角形状の凹部を設けて六角棒レンチにより操作可能な形態など、軸方向から操作することが可能であればこれに限るものではない。また、調整操作部４５ａは、左側から見たときの外形形状を六角形状とした例について説明したが、例えば四角形状等軸方向と交差する方向から操作可能であればこれに限るものではない。
【００５１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  スクリーンユニット、２  スクリーン軸、２ａ  スクリーン、２ｃ  ボトムバー、
２ｄ  軸受けキャップ、２ｅ  コイルスプリング、３  スクリーン軸、３ａ  スクリーン、３ｃ  ボトムバー、３ｄ  軸受けキャップ、３ｅ  コイルスプリング、
４  スクリーンボックス、４ａ  開口、８  軸支持部、４０  ボックス本体、
４２  中間部材、４３  中間金属部材、４３ｅ  下面当接部、４４  中間樹脂部材、
４４ｃ  下カバー部、４４ｅ  スリット、４５ａ  調整操作部、
【図１】
2019137973.tif 000003
【図２】
2019137973.tif 000004
【図３】
2019137973.tif 000005
【図４】
2019137973.tif 000006
【図５】
2019137973.tif 000007
【図６】
2019137973.tif 000008
【図７】
2019137973.tif 000009
【図８】
2019137973.tif 000010
【図９】
2019137973.tif 000011
【図１０】
2019137973.tif 000012